(57)【要約】【課題】焦点位置を撮影者（被写体）が知ることができる電子機器及びカメラを提供する。【解決手段】光学系で結像した被写体像の合焦位置を表わすための光を、プロジェクタモジュールから被写体Ｍに向けて照射するようにした。【選択図】図２
2012042583.tif 000002
【特許請求の範囲】
【請求項１】
撮影手段と、
前記撮影手段で撮影される被写体の任意の位置に焦点を合わせる合焦手段と、
前記被写体に向けて光を照射する照射手段と、
前記照射手段から、前記撮影手段による前記被写体の合焦位置に対応する前記被写体の位置に合焦位置標識を照射させる制御手段と
を備えていることを特徴とする電子機器。
【請求項２】
前記合焦手段は被写体像を検出し、前記被写体の合焦位置となり得る複数の合焦位置候補のうちから自動的に位置を設定して合焦を行うオートフォーカス手段であり、
前記制御手段は、さらに前記オートフォーカス手段の前記被写体像の合焦位置となり得る複数の合焦候補位置に合焦候補位置標識を照射させることを特徴とする請求項１記載の電子機器。
【請求項３】
遠隔操作により前記被写体の合焦位置を変更する合焦位置変更手段を備えることを特徴とする請求項１又は２記載の電子機器。
【請求項４】
前記撮影手段による被写体像から前記被写体の動きを検出する被写体像検出手段を有し、
前記制御手段は、前記被写体像検出手段で検出された前記被写体の動きに基づいて前記照射手段から照射される前記合焦位置標識の位置を変更し、
前記合焦位置変更手段は前記制御手段により変更された前記合焦位置標識の位置に合焦位置を変更することを特徴とする請求項３記載の電子機器。
【請求項５】
前記照射手段は、前記撮影手段の近傍に設けられ、前記撮影手段による前記被写体の画角に画像を照射するプロジェクタであって、
前記合焦位置標識は前記画像に表示された明部又は暗部であることを特徴とする請求項１〜４のいずれか１項記載の電子機器。
【請求項６】
前記照射手段は、前記撮影手段の近傍に設けられ、前記撮影手段による前記被写体の画角の範囲にレーザ光を照射するレーザ光発生手段であることを特徴とする請求項１〜４のいずれか１項記載の電子機器。
【請求項７】
請求項１〜６のいずれか１項記載の電子機器はカメラである。
【発明の詳細な説明】
【技術分野】
【０００１】
この発明は電子機器及びカメラに関する。
【背景技術】
【０００２】
従来、空間の任意範囲を撮影する撮影装置の撮影範囲を示唆するものであって、所定の領域を囲む枠状であると共に該枠内を覆う第１の光線と、該第１の光線の周囲を囲むと共に第１の光線との間に挟まれる領域を覆う第２の光線とのうち、少なくとも一方の光線を被写体方向に照射して投影表示する照射部と、撮影装置の画角情報が入力されると共に該画角情報に基づいて照射部の投影画角を制御する制御部とを備え、所定の領域が、撮影装置の撮影範囲を示す領域である撮影範囲投影表示装置が知られている（下記公報参照）。この装置によれば、撮影者はファインダを見なくても、容易かつ確実に撮影範囲内に被撮影者を入れることができる。
【先行技術文献】
【特許文献】
【０００３】
【特許文献１】特開２００６−１０６３８８号公報
【発明の開示】
【発明が解決しようとする課題】
【０００４】
しかし、撮影者が被写体でもある場合、通常リモコンやセルフタイマーを用いて撮影を行うため、撮影者はカメラ情報（焦点位置等）を知ることは困難であった。その結果、適正な撮影を行うことは困難であった。
【０００５】
この発明はこのような事情に鑑みてなされたもので、その課題は焦点位置を撮影者（被写体）が知ることができる電子機器及びカメラを提供することである。
【課題を解決するための手段】
【０００６】
上記課題を解決するため請求項１記載の発明は、撮影手段と、前記撮影手段で撮影される被写体の任意の位置に焦点を合わせる合焦手段と、前記被写体に向けて光を照射する照射手段と、前記照射手段から、前記撮影手段による前記被写体の合焦位置に対応する前記被写体の位置に合焦位置標識を照射させる制御手段とを備えていることを特徴とする。
【０００７】
請求項２に記載の発明は、請求項１記載の電子機器において、前記合焦手段は被写体像を検出し、前記被写体の合焦位置となり得る複数の合焦位置候補のうちから自動的に位置を設定して合焦を行うオートフォーカス手段であり、前記制御手段は、さらに前記オートフォーカス手段の前記被写体像の合焦位置となり得る複数の合焦候補位置に合焦候補位置標識を照射させることを特徴とする。
【０００８】
請求項３に記載の発明は、請求項１又は２記載の電子機器において、遠隔操作により前記被写体の合焦位置を変更する合焦位置変更手段を備えることを特徴とする。
【０００９】
請求項４に記載の発明は、請求項３記載の電子機器において、前記撮影手段による被写体像から前記被写体の動きを検出する被写体像検出手段を有し、前記制御手段は、前記被写体像検出手段で検出された前記被写体の動きに基づいて前記照射手段から照射される前記合焦位置標識の位置を変更し、前記合焦位置変更手段は前記制御手段により変更された前記合焦位置標識の位置に合焦位置を変更することを特徴とする。
【００１０】
請求項５に記載の発明は、請求項１〜４のいずれか１項記載の電子機器において、前記照射手段は、前記撮影手段の近傍に設けられ、前記撮影手段による前記被写体の画角に画像を照射するプロジェクタであって、前記合焦位置標識は前記画像に表示された明部又は暗部であることを特徴とする。
【００１１】
請求項６に記載の発明は、請求項１〜４のいずれか１項記載の電子機器において、前記照射手段は、前記撮影手段の近傍に設けられ、前記撮影手段による前記被写体の画角の範囲にレーザ光を照射するレーザ光発生手段であることを特徴とする。
【００１２】
請求項７に記載の発明は、請求項１〜６のいずれか１項記載の電子機器はカメラである。
【発明の効果】
【００１３】
この発明によれば、焦点位置を撮影者（被写体）が知ることができる。
【図面の簡単な説明】
【００１４】
【図１】図１はこの発明の第１実施形態に係るカメラのブロック図である。
【図２】図２（ａ）はこの発明の第１実施形態に係るプロジェクタ付きのカメラを斜め上方から見た図、図２（ｂ）はカメラの使用方法を説明する図である。
【図３】図３は撮影を開始する前のカメラの動作の一例を説明するフローチャートである。
【図４】図４は撮影を開始した後のカメラの動作の一例を説明するフローチャートである。
【図５】図５は撮影を開始した後のカメラの動作の他の例を説明するフローチャートである。
【図６】図６は投射画像の一例を示す図である。
【発明を実施するための形態】
【００１５】
以下、この発明の実施の形態を図面に基づいて説明する。
【００１６】
図２（ａ）はこの発明の第１実施形態に係るプロジェクタ付きカメラ（以下カメラという）５０を斜め上方から見た図、図２（ｂ）はカメラ５０の使用方法を説明する図である。
【００１７】
カメラ５０の正面には撮影レンズ鏡筒５２とプロジェクタ投影窓５１とが設けられている。カメラ５０の上面にはレリーズボタン１１２Ａが設けられている。
【００１８】
カメラ５０の背面にはメイン液晶表示器１１５と電子ビューファインダ１１８が設けられている。
【００１９】
カメラ５０は、机（図示せず）の上等に載置された状態で、カメラ５０の正面側に位置する被写体Ｍである人間に向けて、内蔵されたプロジェクタモジュール（照射手段）６（図１参照）からフレーム７や合焦位置（ＡＦポイント）Ｐを表すための標識を含む画像（レーザ光ＬＢ）をプロジェクタ投影窓５１を介して照射する。
【００２０】
フレーム７は、画角枠や画角の縦・横の中心線、ファインダ内の分割線であり、枠線が暗部又は明部となって表示されている。また、合焦位置Ｐを表すための合焦位置標識部とその周囲とは明暗や色が異なり、標識部が明部で周囲が暗部で表示される。更に、標識部と周囲とが別の色の光で表されるようにしてもよい。
【００２１】
なお、カメラ５０からは撮像部（撮影手段）２００の画角の外にカメラ情報（シャッター速度、露出補正等）の画像も投射することができる。
【００２２】
図６は投射画像の一例を示す図である。
【００２３】
被写体Ｍが立っている床面にカメラ情報の画像をカメラ５０から投射するようにしたので、被写体Ｍ自身がカメラ情報を知ることができる。
【００２４】
図１はこの発明の第１実施形態に係るカメラ５０のブロック図である。
【００２５】
カメラ（電子機器）５０は、被写体像（撮像画像）を取得する撮像部２００と、画像を投射可能なプロジェクタモジュール６と、カメラ５０の動作を制御するＣＰＵ（制御手段）１０１と、ＣＰＵ１０１の作業用メモリとして使用されるメモリ１０２と、姿勢センサ１０３と、外部インタフェース（外部Ｉ／Ｆ）１０８と、カメラ５０内の各部に電力を供給する電源１０９と、操作部材１１２と、音声信号を再生するスピーカ１１３と、メイン液晶表示器１１５と、音声を集音するマイク１０７と、メモリカード１０５と、測距装置１１６とを備えている。
【００２６】
ＣＰＵ１０１は、制御プログラムに基づいて、カメラ５０を構成する各部から入力される信号を用いて所定の演算を行い、カメラ５０の各部に対する制御信号を出力することにより撮像部２００動作及びプロジェクタモジュール６の動作をそれぞれ制御する。なお、制御プログラムはＣＰＵ１０１内の不図示の不揮発性メモリに格納されている。
【００２７】
姿勢センサ１０３はカメラ５０の姿勢を検出し、検出信号をＣＰＵ１０１へ出力する。これによりＣＰＵ１０１は撮影時に画像の天地情報を取得する。
【００２８】
メモリカード１０５はフラッシュメモリなどの不揮発性メモリによって構成され、ＣＰＵ１０１の指令によりデータの書き込み、保存及び読み出しが可能である。
【００２９】
マイク１０７は、集音した音声を電気信号に変換してＣＰＵ１０１へ出力する。音声信号は、録音時にメモリカード１０５に記録される。
【００３０】
外部インタフェース１０８は、ＣＰＵ１０１の指令により不図示のケーブル又はクレードルを介して外部機器との間で信号を送受信する。例えばビデオカメラ等の外部機器から送信されるビデオ信号による再生画像をメイン液晶表示器１１５に表示させたり、投射面３００（図２参照）に投射させたりするために、ビデオ信号を画像データに変換してＣＰＵ１０１へ出力する。
【００３１】
操作部材１１２は、レリーズボタン１１２Ａ、メイン液晶表示器１１５に表示されたメニュー画面の項目の選択等を行うセレクタボタン（図示せず）等を有し、操作されたボタンに対応する操作信号をＣＰＵ１０１へ出力する。
【００３２】
測距装置１１６は測距センサによる検出信号を用いて被写体Ｍまでの距離を算出し、ＣＰＵ１０１へ出力する。
【００３３】
電源１０９は、例えば着脱可能ないわゆる電池パック及びＤＣ／ＤＣ変換回路等で構成される。
【００３４】
メイン液晶表示器１１５は、ＣＰＵ１０１の指令により画像やテキスト等の情報（カメラの動作状態、操作メニュー等）を表示する。
【００３５】
マイク１０７は集音した音声を電気信号に変換してＣＰＵ１０１へ出力する。
【００３６】
撮像部２００は、撮影レンズ（光学系）５１と、イメージセンサ（ＣＣＤ）２０１と、レンズ駆動部２０２と、撮像部制御ＣＰＵ２０３を有する。イメージセンサ２０１はＣＭＯＳで構成してもよい。撮像部制御ＣＰＵ２０３は、ＣＰＵ１０１の指令によりイメージセンサ２０１及びレンズ駆動部２０２の駆動を制御する。レンズ駆動部２０２は、撮像部制御ＣＰＵ２０３からズーム制御信号を受けると、その制御信号に応じて撮影レンズ５１を構成するズームレンズ（図示せず）をテレ側又はワイド側へ駆動する。撮影レンズ５１はイメージセンサ２０１の撮像面上に被写体像を結像させる。撮像部制御ＣＰＵ２０３はイメージセンサ２０１に撮像を開始させ、撮像終了後にイメージセンサ２０１から蓄積電荷信号を読み出し、所定の信号処理を施した上で画像データとしてＣＰＵ１０１へ出力する。
【００３７】
ＣＰＵ１０１は、撮像部２００から得られた画像データに基づいて、被写体の主要部を検出し、この主要部の存在する位置をフォーカス検出エリアとして設定する。フォーカス検出エリアとなる位置の候補（合焦候補位置）は、撮像部２００の画角内の複数の所定の位置に配置され、複数のフォーカス検出エリアのうち、検出された被写体の主要部と重なる位置がフォーカス検出エリアとして設定される。
【００３８】
撮像部２００は、撮影レンズ５１のフォーカスレンズを光軸方向へ移動させることにより、フォーカス調節を行う。オートフォーカス調節を行う場合、ＣＰＵ１０１は、イメージセンサ２０１で撮像された画像信号のうち、設定されたフォーカス検出エリア（例えば撮影画面中央）に対応する画像信号についての高周波成分の積算値を最大にするように、撮像部制御ＣＰＵ２０３にフォーカス調節を指示する。積算値が最大になる位置が画像のコントラストを最大にする合焦位置である。レンズ駆動部２０２、撮像部制御ＣＰＵ２０３等でオートフォーカス手段が構成される。
【００３９】
また、撮像部制御ＣＰＵ２０３は、ＣＰＵ１０１からの指示により鏡筒５２をカメラ５０の筐体内に収容したり、筐体５０内から突出させたりする。
【００４０】
なお、撮影画像を投射する場合には撮像部制御ＣＰＵ２０３からＣＰＵ１０１を経由してプロジェクタモジュール６へ画像データが出力される。ＣＰＵ１０１では、プロジェクタモジュール６で投射される画像データに対して台形歪み補正処理が施される。ＣＰＵ１０１に入力された画像データはメモリカード１０５に記録可能である。また、メモリカード１０５に記録された画像データ及び音声データは、各々プロジェクタモジュール６、メイン液晶表示器１１５及びスピーカ１１３で再生可能である。
【００４１】
プロジェクタモジュール６は、レーザ光源６１と、照明光学系６２と、ライトバルブ６３と、走査部６４とを有する。レーザ光源６１で発生したレーザ光は、照明光学系６２を通過して整形された後、ライトバルブ６３に入射し、画像情報に応じて通過又は一部遮断される。ライトバルブ６３を通過したレーザ光は、走査部６４へ入射し、所望の画像となるように走査される。
【００４２】
ＣＰＵ１０１は、カメラ５０の画角情報に基づいてプロジェクタモジュール６の投影画角を制御し、被写体Ｍの周囲にフレーム７を表示させる。
【００４３】
ＣＰＵ１０１は、被写体Ｍの合焦位置を表わすための標識をプロジェクタモジュール６から照射させる。
【００４４】
ＣＰＵ１０１は、オートフォーカス手段による被写体像の合焦位置となり得る複数の合焦候補位置を表わすための標識をプロジェクタモジュール６から被写体Ｍに向けて照射させる。複数の合焦位置候補を表すための標識は、プロジェクタモジュール６から投射される画像に形成されたフォーカス検出エリア枠である。枠の表示は、枠線が明部として、枠の周囲は暗部として投射される。ＣＰＵ１０１は、更に合焦候補位置に重ねて、合焦位置を表わす標識をプロジェクタモジュール６から被写体Ｍに向けて照射させる。合焦位置を表す標識は標識部が明部で周囲が暗部で表示される。
【００４５】
また、ＣＰＵ１０１は、合焦候補位置の表示に重ねて、オートフォーカス手段で検出された被写体Ｍまでの距離に基づいて得られた被写体Ｍの合焦範囲（合焦位置Ｐを含む面）を表わす光を、プロジェクタモジュール６から被写体Ｍに向けて照射させる。なお、ＣＰＵ１０１は、カメラ情報の画像を床面に投射させたり、撮影画像をスクリーンや壁等に投射させたりすることもできる。
【００４６】
ＣＰＵ１０１は、被写体Ｍの顔又は物体の画像を認識する画像認識手段として機能する。ＣＰＵ１０１は、被写体Ｍの顔又は物体の焦点位置を示す輝点となる光をプロジェクタモジュール６から被写体Ｍに向けて照射させる。画像認識方法は、例えば顔の特徴点を検出してそれら特徴点により形成されるパターンを認識することで、その顔の画像の特徴や表情等を認識する方法であり、既知の技術であるためその詳細な説明を省略する。
【００４７】
なお、レリーズボタン１１２Ａが押され、撮像部２００のシャッタ（図示せず）が開いている間、ＣＰＵ１０１は、プロジェクタモジュール６からの被写体Ｍに向けての光の照射を中止させる。
【００４８】
次に、カメラ５０の動作を図１、３に基づいて説明する。
【００４９】
図３は撮影を開始する前のカメラの動作の一例を説明するフローチャート、図４は撮影を開始した後のカメラの動作の一例を説明するフローチャート、図５は撮影を開始した後のカメラの動作の他の例を説明するフローチャートである。
【００５０】
図３〜５において、Ｓ１〜Ｓ６、Ｓ１１〜Ｓ１５、Ｓ２１〜Ｓ２７は処理の各ステップを示す。
【００５１】
まず、撮影を開始する前のカメラ５０の動作の一例を説明する。
【００５２】
電源をオンにしてカメラ５０を起動する（Ｓ１）。
【００５３】
カメラ５０の起動が確認されると、ＣＰＵ１０１は、撮影レンズ５１を介して被写体Ｍの画像を取得する（Ｓ２）。この撮影画像はプロジェクタモジュール６から投射される。
【００５４】
その後、ＣＰＵ１０１は、レンズ情報（ズーム、被写体Ｍとの距離）を取得する（Ｓ３）。
【００５５】
ＣＰＵ１０１は、撮影レンズ５１を介して取得した被写体像からフレーム領域を算出し、その算出結果に基づいて被写体Ｍの周囲に矩形のフレーム７が表示されるようにプロジェクタモジュール６から被写体Ｍに向けて光を照射させる。このとき、ズームに同期してプロジェクタモジュール６から投射される範囲を変える（図２（ｂ）参照）。なお、図２（ｂ）ではフレーム７は格子状である。
【００５６】
また、フレーム領域を算出する際、例えば被写体Ｍの後に光が照射される背景がない場合（例えば壁がない等）、光の照射位置を特定できないので、レンズ情報から推測されたフレーム領域に対応する位置にフレーム７を表示させる。このとき、至近距離ではパララックスが発生するので、予め実測することによって撮影範囲のずれの補正を行う。
【００５７】
なお、パララックスによる撮像部２００の撮影範囲とプロジェクタモジュール６による投影範囲とのずれを小さく抑えるために、本発明の電子機器では、撮像部２００とプロジェクタモジュール６とを一体化して、両者を近接する位置に配置している。
【００５８】
次に、ＣＰＵ１０１は、フレーム７の被写体Ｍの合焦位置（描画ポイント）を計算し、被写体像の合焦位置となり得る複数の合焦候補位置（ＡＦ候補点）を特定する（Ｓ４）。
【００５９】
その後、ＣＰＵ１０１は、被写体像の合焦位置となり得る複数の合焦候補位置（ＡＦ候補点）を表わすための光をプロジェクタモジュール６から、ステップＳ４で求められたフレーム７の被写体Ｍの合焦位置に対して照射させる（Ｓ５）。複数の合焦候補位置は、電子ビューファインダ１１８上に表示されるので、ＣＰＵ１０１は、この複数の合焦候補位置を表わす光を被写体Ｍに向けて照射させる。複数の合焦候補位置は、点や四角形で表示されている。
【００６０】
上述のステップを経て、撮影を開始することができるようになる（Ｓ６）。
【００６１】
なお、この実施形態では被写体Ｍの周囲に矩形のフレーム７を表示させたが、フレーム７を表示させる処理を省略してもよい。
【００６２】
次に、撮影を開始した後のカメラ５０の動作の一例を説明する。
【００６３】
撮影が開始される（Ｓ１１）と、ＣＰＵ１０１は、測距装置１１６に被写体Ｍまでの距離を算出させる（Ｓ１２）。
【００６４】
ＣＰＵ１０１は、レンズ情報、画像処理情報等に基づいて合焦位置（ＡＦポイント）Ｐを計算する（Ｓ１３）。
【００６５】
上記計算により合焦位置が特定される（Ｓ１４）。
【００６６】
その後、ＣＰＵ１０１は、複数の合焦候補位置に重ねてプロジェクタモジュール６から被写体Ｍに向けて合焦位置Ｐを表す光を照射させる（Ｓ１５）。その結果、被写体Ｍも合焦位置Ｐを確認することができる。このとき、リモコン（リモートコントローラ）を用いて合焦位置Ｐを移動させることができる。
【００６７】
リモコンにはカメラを遠隔操作するための発光部と、上下左右方向の矢印キーが設けられている。矢印キーを操作することにより、発光部からキーの操作情報がカメラ５０に送信され、操作情報を受信したカメラ５０のプロジェクタモジュール６から投射された合焦位置標識の位置を変更するとともに撮像部２００の合焦位置を変更することができる。まず、カメラ５０のＣＰＵ１０１に接続された不図示の信号受信部は、リモコンからの信号を受信する。ＣＰＵ１０１は前記信号受信部で受信された信号に基づいてプロジェクタモジュール６の不図示の投射画像制御部にプロジェクタモジュール６から投射される画像の合焦位置標識の位置変更を指示する。これと同時にＣＰＵ１０１は、リモコンからの信号による合焦位置標識の位置変更情報を撮像部制御ＣＰＵ２０３に送り、撮像部制御ＣＰＵ２０３は変更された合焦位置標識の位置をオートフォーカス検出エリアに設定する。レンズ駆動部２００は新たに設定された合焦位置標識の位置に対して合焦を行う。
【００６８】
このような構成にすることによって、カメラ５０のファインダから離れた位置であっても撮像部２００の合焦位置を知ることができるとともに、カメラ５０から離れていても被写体の合焦位置を変更することができる。
【００６９】
また、リモコンの代わりにジェスチャー等により合焦位置を移動させることもできる。例えば、手の動きに合わせて合焦位置Ｐを移動させるようにする。
【００７０】
例えば、被写体として撮像部２００の撮影画角内にいる撮影者が、プロジェクタモジュール６から投射された合焦位置標識部をつかんで別の場所に移動させるジェスチャーを行うと、カメラ５０のＣＰＵ１０１に接続された被写体像検出手段１１７は撮影者の動きを検出して、撮影者が新たな合焦位置として指定した合焦位置標識部の位置をＣＰＵ１０１に送る。ＣＰＵ１０１は新たな合焦位置として指定された位置情報をプロジェクタモジュール６の不図示の投射画像制御部に送り、プロジェクタモジュール６から投射される画像の合焦位置標識の位置変更を指示する。同時に、ＣＰＵ１０１は、新たな合焦位置として指定された位置情報を撮像部制御ＣＰＵ２０３に送り、撮像部制御ＣＰＵ２０３は変更された合焦位置標識の位置をオートフォーカス検出エリアに設定する。レンズ駆動部２０２は新たに設定された合焦位置標識の位置に対して合焦を行う。
【００７１】
このような構成にすることによって、被写体Ｍがオートフォーカス手段による焦点位置を知ることができるとともに、オートフォーカス手段による焦点位置を被写体Ｍが希望する任意の位置に変更することができる。つまり、撮影者が被撮影者でもある場合にも適正な撮影を行うことが可能な電子機器及びカメラを提供することができる。
【００７２】
なお、ＣＰＵ１０１は、被写体Ｍの顔又は物体と焦点が合う位置を示す輝点となる光をプロジェクタモジュール６から被写体Ｍに向けて照射させるようにすることもできる。画像認識処理をリアルタイムで行い、実際の顔の動きに光の照射を追従させるようにすれば、正しく追従動作が行われていることを撮影者以外の人物（第三者）も確認することができる。このようにすれば、カメラ５０の後方に撮影者がいる必要がなくなり、例えばリモコンで被写体Ｍがカメラ５０を制御して撮影をすることができる。
【００７３】
その後、撮影を行う（Ｓ１６）。このとき、ＣＰＵ１０１は、撮像部２００のシャッタが開いている間、プロジェクタモジュール６からの被写体Ｍに向けての光の照射を中止させる。その結果、撮影画像にフレーム７等が写し込まれることを防止できる。
【００７４】
撮影を行った後、撮影を終了しないときには、ステップ１２へ戻る。
【００７５】
次に、撮影を開始した後のカメラ５０の他の動作の一例を説明する。
【００７６】
撮影の準備ができた後、撮影が開始される（Ｓ２１）と、ＣＰＵ１０１は、測距装置１１６に被写体Ｍまでの距離を算出させる（Ｓ２２）。
【００７７】
ＣＰＵ１０１は、被写体Ｍまでの距離に基づいて合焦位置を計算する（Ｓ２３）。ＣＰＵ１０１は、撮影画像を画像データを合焦しているエリアと合焦していないエリアとに分け、更に合焦していないエリアを前ピン（被写体Ｍの前にピントが合っている）のエリアと後ピン（被写体Ｍの後にピントが合っている）のエリアとに分ける。
【００７８】
ＣＰＵ１０１は、前ピン、合焦位置及び後ピンのそれぞれにおける焦点深度を計算し、合焦範囲を算出する（Ｓ２４）。
【００７９】
ＣＰＵ１０１は、計算結果に基づいて、前ピン、合焦位置及び後ピンのそれぞれの位置を含むエリア（描画エリア）を特定する（Ｓ２５）。
【００８０】
その後、ＣＰＵ１０１は、複数の合焦候補位置と投影画像とに重ねてプロジェクタモジュール６から被写体Ｍに向けてそれぞれのエリア毎に異なる色の光を照射させる（Ｓ２６）。例えば、前ピン位置のエリアに赤色の光、合焦位置のエリアに緑色の光、後ピン位置のエリアに青色の光をそれぞれ照射する。
【００８１】
その結果、合焦位置を固定にし、被写体Ｍが合焦しているエリアまで動いてから撮影することによって適正な撮影を行うことができる。また、投影画像を撮像部２００で取得し、合焦しているエリアを確認して投射することを繰り返せば、被写体Ｍが動いてもリアルタイムで合焦するエリアを認識することができる。
【００８２】
その後、撮影を行う（Ｓ２７）。
【００８３】
撮影を行った後、撮影を終了しないときには、ステップ２２へ戻る。
【００８４】
この実施形態によれば、焦点位置を被写体Ｍが知ることができ、適正な撮影を行うことができる。
【００８５】
なお、照射手段としては、レーザ光ＬＢを利用したプロジェクタの代わりにレーザ発生手段であるレーザ照射器を用いることもできる。
【００８６】
また、本発明はオートフォーカス手段を有するカメラを例にとって説明を行ったが、オートフォーカス手段を有さないカメラにおいても、撮影部の近傍にプロジェクタモジュールやレーザ光発光手段を設けることにより、カメラのフォーカス位置に合焦位置標識を表示させることによって、被写体Ｍの位置を知ることができる。
【符号の説明】
【００８７】
６：プロジェクタモジュール（照射手段）、５０：カメラ（電子機器）、５１：撮影レンズ（光学系）、１０１：ＣＰＵ（制御手段）、２００：撮像部（撮影手段）、２０２：レンズ駆動部、２０３：撮像部制御ＣＰＵ、Ｍ：被写体。
【図１】
2012042583.tif 000003
【図２】
2012042583.tif 000004
【図３】
2012042583.tif 000005
【図４】
2012042583.tif 000006
【図５】
2012042583.tif 000007
【図６】
2012042583.tif 000008